(57)【特許請求の範囲】
【請求項１】
励磁コイルを巻いたボビンと、該ボビンの中心孔内に装着されて前端面が吸引力作用面をなす固定鉄心と、該ボビンの中心孔内に摺動可能に挿入されて、上記固定鉄心の吸引力作用面に対面する吸引力作用面を有し、上記励磁コイルへの通電により軸線方向に移動して固定鉄心に吸着され、上記励磁コイルへの非通電時には復帰スプリングにより該固定鉄心から離間される可動鉄心と、上記ボビンを囲むカバー状に形成され、上記固定鉄心の上記吸引力作用面とは反対側において該固定鉄心との間で磁路が連なっている磁気枠と、上記可動鉄心の上記吸引力作用面とは反対側の周囲に配設されて、上記磁気枠と可動鉄心との間の磁路を形成する磁気プレートとを備えたオン・オフ操作のための電磁弁用ソレノイドにおいて、
上記磁気プレートは、外周面が上記磁気枠の内周面に接触して上記軸線と直角方向に延在するプレート本体と、該プレート本体の内周側に上記可動鉄心の表面に沿って上記固定鉄心の方向に延出するように一体に形成された延出部とを有し、
上記磁気プレートにおける可動鉄心の外周面との対面部分の面積Ｓａと、上記可動鉄心における軸線方向と直交する断面の断面積Ｓｂとの間に、
Ｋ＝Ｓａ／Ｓｂ ，  Ｋ＞１
の関係を付与し、且つ、上記磁気プレートの内周面の軸線方向長さをｈとし、復帰スプリングにより固定鉄心から離間した位置にある可動鉄心の上記吸引力作用面から磁気プレートの前端部までの長さをＬとするとき、
２≦Ｋ≦〔ｈ＝ＬとなるときのＫの値〕
とした、
ことを特徴とする電磁弁用ソレノイド。
【請求項２】
上記固定鉄心、可動鉄心及びボビンの中心孔の各断面形状を円形、長円形または略長方形にしたことを特徴とする請求項１に記載の電磁弁用ソレノイド。
【請求項３】
横断面の外形が二つの半円とそれらの間を略直線で結ぶ長円形である上記可動鉄心の先端部において、上記横断面の半円形の部分の外側に突出部を設けて、その突出部の固定鉄心側端を前記可動鉄心の先端部の段差部とし、上記キャップが該段差部に対向する段差部を有している、
ことを特徴とする請求項１又は２に記載の電磁弁用ソレノイド。
【請求項４】
上記磁気プレートの延出部が上記プレート本体から延出する長さは、該プレート本体の厚みより大きく、且つ、上記延出部は、先端側が次第に薄くなるように形成されていることを特徴とする請求項１から３の何れかに記載の電磁弁用ソレノイド。
【発明の詳細な説明】
【技術分野】
【０００１】
本発明は、励磁コイルの励磁及び消磁により可動鉄心を駆動する電磁弁用ソレノイドに関するものであり、更に具体的には、既存の電磁弁用ソレノイドに格別の部品を付加することなく、単純な構造の変更により磁気効率を向上させるようにした電磁弁用ソレノイドに関するものである。
【背景技術】
【０００２】
従来から、例えば特許文献１等により知られている電磁弁用ソレノイドのように、励磁コイルを巻いたボビンの中心孔に固定鉄心を装着すると共に、該中心孔に可動鉄心を摺動自在に挿入し、上記ボビンを囲むカバー状に形成された磁気枠と上記固定鉄心の可動鉄心とは反対側端において磁路が繋がり、また、上記可動鉄心における固定鉄心との吸引力作用面とは反対側の周囲に、上記磁気枠と可動鉄心との間の磁路を形成する磁気プレートを配設し、上記励磁コイルへの電流の通断により可動鉄心を固定鉄心側に吸引させ、あるいは、復帰スプリングの付勢力により該固定鉄心から離間させて、弁部材を開閉駆動するようにしたものにおいて、上記磁気プレートにおける可動鉄心の外周面との対面部分を可動鉄心の表面に沿って固定鉄心側に延出させたものは、既に知られている。
【０００３】
上記電磁弁用ソレノイドにおいては、固定鉄心からボビンを囲む磁気枠及び磁気プレート内を通して可動鉄心に至り、固定鉄心に戻る磁路が形成されるが、この磁路中での大きな磁気抵抗になるのは、可動鉄心と固定鉄心との間のギャップと、可動鉄心と磁気プレートとの間の隙間であり、他に磁気抵抗が比較的大きくなる部分があっても構造の改変でそれを小さくすることが比較的容易なものである。
【０００４】
そして、上記可動鉄心と固定鉄心との間のギャップは、励磁コイルへの通電時における可動鉄心のストローク分であるため、弁構造等によってそのストロークをできるだけ小さくすることにより磁気抵抗を小さくすることができるにしても、本来必要不可欠のものであり、一方、上記可動鉄心と磁気プレートとの間の隙間も大きな磁気抵抗になるが、その隙間は可動鉄心をその磁気プレートに接触させることなくストロークさせるために必要なものであり、しかしながら、何らかの手段でこの磁気抵抗を小さくすることにより電磁弁用ソレノイドの磁気効率を向上させることができる。
【先行技術文献】
【特許文献】
【０００５】
【特許文献１】特開２００２−１８８７４５号公報
【発明の概要】
【発明が解決しようとする課題】
【０００６】
本発明の技術的課題は、既存の電磁弁用ソレノイドに格別の部品を付加することなく、単純な構造の変更により可動鉄心と磁気プレートとの間の隙間に起因する磁気抵抗を低減させ、それによって磁気効率を向上させるようにした電磁弁用ソレノイドを提供することにある。
【課題を解決するための手段】
【０００７】
上記課題を解決するため、本発明によれば、励磁コイルを巻いたボビンと、該ボビンの中心孔内に装着されて前端面が吸引力作用面をなす固定鉄心と、該ボビンの中心孔内に摺動可能に挿入されて、上記固定鉄心の吸引力作用面に対面する吸引力作用面を有し、上記励磁コイルへの通電により軸線方向に移動して固定鉄心に吸着され、上記励磁コイルへの非通電時には復帰スプリングにより該固定鉄心から離間される可動鉄心と、上記ボビンを囲むカバー状に形成され、上記固定鉄心の上記吸引力作用面とは反対側において該固定鉄心との間で磁路が連なっている磁気枠と、上記可動鉄心の上記吸引力作用面とは反対側の周囲に配設されて、上記磁気枠と可動鉄心との間の磁路を形成する磁気プレートとを備えたオン・オフ操作のための電磁弁用ソレノイドにおいて、上記磁気プレートは、外周面が上記磁気枠の内周面に接触して上記軸線と直角方向に延在するプレート本体と、該プレート本体の内周側に上記可動鉄心の表面に沿って上記固定鉄心の方向に延出するように一体に形成された延出部とを有し、上記磁気プレートにおける可動鉄心の外周面との対面部分の面積Ｓａと、上記可動鉄心における軸線方向と直交する断面の断面積Ｓｂとの間に、
Ｋ＝Ｓａ／Ｓｂ ，  Ｋ＞１
の関係を付与し、且つ、上記磁気プレートの内周面の軸線方向長さをｈとし、復帰スプリングにより固定鉄心から離間した位置にある可動鉄心の上記吸引力作用面から磁気プレートの前端部までの長さをＬとするとき、
２≦Ｋ≦〔ｈ＝ＬとなるときのＫの値〕
としたことを特徴とする電磁弁用ソレノイドが提供される。
【０００８】
本発明に係る電磁弁用ソレノイドの好ましい実施形態においては、上記固定鉄心、可動鉄心及びボビンの中心孔の各断面形状を、円形、長円形または略長方形にすることができる。
【発明の効果】
【０００９】
以上に詳述した本発明の電磁弁用ソレノイドによれば、既存の電磁弁用ソレノイドに格別の部品を付加することなく、単純な構造の変更により可動鉄心と磁気プレートとの間の隙間に起因する磁気抵抗を低減させ、それによって磁気効率を向上させるようにした電磁弁用ソレノイドを得ることができる。
【図面の簡単な説明】
【００１０】
【図１】本発明に係るソレノイドを備えた電磁弁の実施例を示す縦断面図である。
【図２】上記実施例の半断側面図である。
【図３】上記実施例の分解斜視図である。
【図４】上記実施例におけるソレノイドの形状パラメータを示した説明図である。
【図５】上記実施例における可動鉄心の形状パラメータを示した斜視説明図である。
【図６】後記（１）式の関係を示すグラフである。
【図７】後記（２）式の関係を示すグラフである。
【発明を実施するための形態】
【００１１】
以下に、本発明の実施例を図面に基づいて詳細に説明する。
図１〜図３は、本発明に係るソレノイドを備えた電磁弁の実施例を示し、特にそのソレノイドを含む電磁弁の全体の具体的構成例を示している。そして、この電磁弁は、大きく分けると、流体の流路が切り換えられる弁部１と、該弁部１における弁部材を切換駆動する電磁弁用ソレノイド部３とによって構成されている。本発明の電磁弁用ソレノイドは、この電磁弁用ソレノイド部３によって構成されるものである。なお、図１及び図２は、電磁弁用ソレノイド部３における励磁コイルの消磁時の状態を示している。
【００１２】
上記弁部１は、弁本体１０内に、入力ポートＰ、出力ポートＡ及び排出ポートＲが連通する弁室１１を備え、該弁室１１を構成する孔が弁本体１０の上記ソレノイド部３とは反対側の端部に開放していて、該孔内の周囲がシール部材１３によりシールされた状態で弁座体１２により閉鎖され、該弁座体１２には上記入力ポートＰに連通する流路１４が設けられていて、該流路１４の内端を上記弁室１１内の中央において、上記排出ポートＲに連通した排出弁座１６に対向する位置の供給弁座１５に開口させ、上記弁室１１内における供給弁座１５と排出弁座１６との間に弁部材１７を収容している。
【００１３】
上記弁部材１７は、上記電磁弁用ソレノイド部３への通電またはその解除により上記供給弁座１５及び排出弁座１６を開閉するものである。該電磁弁用ソレノイド部３により該弁部材１７を開閉動作させるため、該弁部材１７は、それを保持するホルダー１８に収容され、該ホルダー１８と一体化された一対のプッシュロッド１９が、排出弁座１６を跨ぐ位置において弁本体１０中を電磁弁用ソレノイド部３側に導出され、その先端が、弁本体１０に形成された上記電磁弁用ソレノイド部３との間の凹部１０ａ内において、電磁弁用ソレノイド部３の後述する可動鉄心３６に当接している。また、上記弁部材１７と弁座体１２における供給弁座１５の周囲におけるばね受け部２０との間に、弁部材１７を排出弁座１６側に付勢する弁ばね２１を設けている。なお、図中２３は弁座体１２を弁本体１０に固定するための抑え材である。
【００１４】
一方、上記電磁弁用ソレノイド部３は、横断面が略矩形状で一端部が閉じられている磁気枠３０を備え、この磁気枠３０の内奥部にシール部材３１を介して接する環状のボビン３２が収容され、該ボビン３２には励磁コイル３３が巻回されて、その励磁コイル３３の両端がコイル端子３３ａ（図３参照）に接続されている。上記ボビン３２内には、その中心孔３２ａ内に装着する固定鉄心３５が、フランジ部３５ｂを有する内端側の端面を磁気枠３０の内面に接触させて配設され、また、ボビン３２の中心孔３２ａ内には、上記固定鉄心３５に接離する方向に摺動自在に可動鉄心３６が嵌挿されている。上記固定鉄心３５とこの可動鉄心３６は、それらの間にそれぞれ吸引力作用面３５ａ，３６ａを有し、上記励磁コイル３３への通電により可動鉄心３６が固定鉄心３５側に吸引されるものである。
【００１５】
上記磁気枠３０は、上記ボビン３２を囲むカバー状に形成されて、固定鉄心３５の上記吸引力作用面３５ａとは反対側において該固定鉄心３５と接触することにより、該固定鉄心３５との間で磁路が繋がっているが、該磁気枠３０は、また、上記可動鉄心３６の吸引力作用面３６ａとは反対側の周囲に配設された環状の磁気プレート３７によって、該可動鉄心３６との間の磁路が形成されている。上記磁気プレート３７は、その外周を上記カバー状の磁気枠３０の開口端側に接触させると共に、その内周に、可動鉄心３６の表面に沿って固定鉄心３５側に延出された延出部３７ａを有するもので、この延出部３７ａは先端側を次第に薄くして、その内周面に上記可動鉄心３６の外周面に可及的に近接する対面部分３７ｂを形成している。上記ボビン３２の中心孔３２ａと磁気プレート３７の内孔は同一形状である。また、上記可動鉄心３６の弁部１側の先端外周には、合成樹脂からなるキャップ３８が嵌着固定され、該キャップ３８と磁気プレート３７との間に可動鉄心３６の復帰スプリング３９が装着されて、該復帰スプリング３９により可動鉄心３６が固定鉄心３５から離間する方向に付勢されている。
【００１６】
したがって、上記固定鉄心３５からボビン３２を囲む磁気枠３０及び磁気プレート３７内を通して可動鉄心３６に至り、更に、励磁コイル３３への通電時における可動鉄心３６のストロークに相当するギャップｂを介して固定鉄心３５に戻る磁路が形成されている。また、可動鉄心３６の外周面と磁気プレート３７における延出部３７ａの内周の可動鉄心３６に対する対面部分３７ｂとの間には、可動鉄心３６を磁気プレート３７に接触させることなくストロークさせるために必要な隙間ａが形成されている（図４参照）。
上記電磁弁用ソレノイド部３は、弁本体１０の上部に、磁気枠３０の一部３０ａを折曲係止させることにより取り付けられ、それによって、上記可動鉄心３６の先端が、弁本体１０における上記電磁弁用ソレノイド部３との間の凹部１０ａ内において、前記弁部材１７のホルダー１８と一体化された一対のプッシュロッド１９の先端に対して当接する位置に配設されている。
【００１７】
上記構成を有する電磁弁においては、励磁コイル３３に非通電のときには、図１及び図２に示すように、復帰スプリング３９の付勢力により可動鉄心３６が固定鉄心３５から離間する位置に移動し、プッシュロッド１９を介して弁部材１７を押圧するので、該弁部材１７が供給弁座１５を閉鎖し、排出弁座１６が開放される。なお、上記キャップ３８と磁気プレート３７との間に装着した可動鉄心３６の復帰スプリング３９は、その付勢力が弁部材１７を排出弁座１６側に付勢する弁ばね２１のそれよりも大きく設定されている。
一方、上記励磁コイル３３に通電してそれを励磁すると、該復帰スプリング３９の付勢力に抗して可動鉄心３６が固定鉄心３５に吸着されるので、弁部材１７が弁ばね２１の付勢力により上記供給弁座１５を開放すると共に排出弁座１６が閉鎖される。
【００１８】
図１〜図３に示す実施例では、固定鉄心３５、可動鉄心３６及びボビン３２の中心孔３２ａの各断面形状を、横断面の外形が二つの半円とそれらの間を直線で結ぶ長円形としているが、当該各断面形状は、上記長円形に限らず、円形または略長方形にすることもできる。
【００１９】
上記電磁弁においては、従来の電磁弁用ソレノイドに比して、単純な構造の変更を施すことにより可動鉄心３６と磁気プレート３７との間の隙間ａに起因する磁気抵抗を低減させるため、図４〜図７を参照して以下に説明するような構成を採用しているが、その構成は、結論的には、図５に示す上記磁気プレート３７の延出部３７ａにおける可動鉄心３６の外周面との対面部分３７ｂの面積Ｓａと、上記可動鉄心３６における軸線方向と直交する断面積Ｓｂとの間に、
Ｋ＝Ｓａ／Ｓｂ ，  Ｋ＞１
の関係を付与し、且つ、図４に示すように、上記可動鉄心３６の外周面に対する上記磁気プレート３７の対面部分３７ｂの軸線方向長さをｈとし、復帰スプリング３９により固定鉄心３５から離間した位置にある可動鉄心３６の上記吸引力作用面３６ａから磁気プレート３７の上記対面部分３７ｂを越える位置までの長さをＬとするとき、
２≦Ｋ≦〔ｈ＝ＬとなるときのＫの値〕
となるようにするものである。
【００２０】
上述したところを数式を用いて更に具体的に説明すると、まず、上記可動鉄心３６の外周面と磁気プレート３７における延出部３７ａの可動鉄心３６に対する対面部分３７ｂとの間の隙間ａにおける磁気抵抗Ｒａ、及び固定鉄心３５と可動鉄心３６とのに間のギャップ（可動鉄心３６のストローク）ｂにおける磁気抵抗Ｒｂは、
Ｒａ＝Ｃ・ａ／Ｓａ
Ｒｂ＝Ｃ・ｂ／Ｓｂ
但し、Ｃ＝１／μ＝１／μｏ・μｓ
μ＝透磁率［Ｈ／ｍ］
μｏ＝真空の透磁率＝４π×１０−７［Ｈ／ｍ］
μｓ＝比透磁率
と表される。
【００２１】
そして、上記両磁気抵抗Ｒａ，Ｒｂの合成抵抗をＲｔとすると、
Ｒｔ＝Ｒａ＋Ｒｂ＝Ｃ（ａ／Ｓａ＋ｂ／Ｓｂ）
であり、ここで、Ｃ≒１とみなすと、
Ｒｔ≒（ａ・Ｓｂ＋ｂＳａ）／Ｓａ・Ｓｂ
と表すことができる。
【００２２】
上式において、磁気プレート３７の延出部３７ａの対面部分３７ｂと可動鉄心３６との間の隙間ａと、固定鉄心３５と可動鉄心３６との間のギャップｂとは、いずれも磁気効率を低下させるものではあるが、ギャップｂは実際の可動鉄心３６のストロークであって、一般的にはａ≦ｂに設計され、そして、上記ギャップ以外の部分（隙間ａ等）において、少なくとも可動鉄心のストロークのための上記ギャップｂよりも磁気抵抗が大きくならないようにする必要があることから、上式による計算を簡単化するにあたって、ａ＝ｂとして、次式を得ることができる。
Ｒｔ′＝（Ｓｂ＋Ｓａ）／Ｓａ・Ｓｂ
但し、Ｒｔ′＝Ｒｔ／ｂ
【００２３】
ここで、前述したように、図５に示す上記磁気プレート３７における可動鉄心３６の外周面との対面部分３７ｂの面積Ｓａと、上記可動鉄心３６における軸線方向と直交する断面積Ｓｂとの間に、
Ｋ＝Ｓａ／Ｓｂ ，  Ｋ＞１
の関係を付与し、つまり、ＳａをＳｂのＫ倍であるとして、それを上記Ｒｔ′の式に代入したうえで整理すると、
Ｒｔ′×Ｓｂ＝Ｒｔ″＝（Ｋ＋１）／Ｋ＝１／Ｙ
Ｙ＝Ｋ／（Ｋ＋１）            ・・・（１）
を得る。上記（１）式からすれば、Ｙが大きいほど効率がよいことになる。
【００２４】
そこで、上記（１）式におけるＫが変化したときのＹの変化率を見るために，同式を微分すると、
Ｙ′＝１／（Ｋ＋１）２            ・・・（２）
を得る。
図６及び図７は、上記（１）式のＹ及び（２）式のＹ′の変化を可視化するためのグラフであり、図７によれば、Ｋ≧２において変化率の変動が小さくなって当該変化率が１０％以下になり、６５％以上の効率を得ることができる。
従って、上述したように、長さＬを図４に示すように設定すると、
２≦Ｋ≦〔ｈ＝ＬとなるときのＫの値〕    ・・・（３）
となるようにするのが効率的に望ましいことになる。
【００２５】
なお、図６及び図７によれば、Ｋ≧３において７５％以上の効率を得ることができ、Ｋ≧４において８０％以上の効率を得ることができ、これらは磁気プレートの製造上の問題がなければより望ましい範囲と言うことができる。
また、上述した（３）式に基づいてＫの値を〔ｈ＝ＬとなるときのＫの値〕に近いものにすると、磁気プレート３７の延出部３７ａの先端から固定鉄心３５に向けて漏洩する磁束が生じる可能性があり、これは、固定鉄心３５や可動鉄心３６の形状等の各種パラメータの影響を受けるため、一概にどのような値になるかを説明できないが、そのような磁束の漏洩が生じる可能性がある程度にＫの値を大きくする場合には、磁気プレート３７の延出部３７ａの先端から直接的に固定鉄心３５に向けて漏洩する磁束を抑制するに必要な距離ｄを実験等により予め求めて、
２≦Ｋ≦〔ｈ＝Ｌ−ｄとなるときのＫの値〕
とする必要がある。また、この場合には、磁気プレート３７の延出部３７ａの先端側をできるだけ薄くするなど、その形状についても考慮する余地がある。
【符号の説明】
【００２６】
３０    磁気枠
３２    ボビン
３２ａ  中心孔
３３    励磁コイル
３５    固定鉄心
３６    可動鉄心
３５ａ，３６ａ    吸引力作用面
３７    磁気プレート
３７ａ  延出部
３７ｂ  対面部分
３９    復帰スプリング
【図１】
0005560425.tif 000002
【図２】
0005560425.tif 000003
【図３】
0005560425.tif 000004
【図４】
0005560425.tif 000005
【図５】
0005560425.tif 000006
【図６】
0005560425.tif 000007
【図７】
0005560425.tif 000008